(57)【要約】【課題】  スライド部材の動作により突起の斜面に凹部が形成されないような機構としてスライド部材を引っ張ることができなくなる状態に陥ることを防止する。【解決手段】  垂直面１３ａを有する突起１３をケース１２の表面に設ける。スライド部材１８は、基部３６と、基部３６から延在する傾斜部３４と、傾斜部３４から長手方向に突起１３を越えて延在するスライド片１８ａとを有する。突起１３に対してスライド部材１８の基部３６の側に設けられ、ケース１２の表面から突出した突出部３２が設けられる。スライド部材１８が移動すると、傾斜部３４及びスライド片１８aの一部が突出部３２に当接し、スライド片１８ａが持ち上げられる。【選択図】  図２０
2010286782.tif 000002
【特許請求の範囲】
【請求項１】
ケージに収容可能な光モジュールであって、
光部品を収容するケースと、
前記ケースの表面に設けられ、前記ケースの長手方向に対して垂直な垂直面を有する突起と、
前記ケースの一端側に前記長手方向に移動可能に取り付けられた基部と、前記基部からから斜めに延在する傾斜部と、前記傾斜部から前記長手方向に前記突起を越えて延在し、前記長手方向に所定の移動範囲内で移動可能なスライド片とを有するスライド部材と、
前記突起に対して前記スライド部材の前記基部の側に設けられ、前記ケースの前記表面から突出した突出部と
を有する光モジュール。
【請求項２】
請求項１記載の光モジュールであって、
前記突出部は、前記スライド部が当接して摺動する傾斜面を有する光モジュール。
【請求項３】
請求項１又は２記載の光モジュールであって、
前記スライド片は前記突起が入り込む開口を有し、
前記突起は、前記スライド片が前記所定の移動範囲で移動する際に前記開口の前記長手方向に垂直に延在する縁部が当接して摺動する傾斜面を有する光モジュール。
【請求項４】
請求項２又は３記載の光モジュールであって、
前記突出部は、前記傾斜面に繋がる所定の突出高さの頂面を有する光モジュール。
【請求項５】
請求項１乃至４のうちいずれか一項記載の光モジュールであって、
前記突出部及び前記突起は、前記ケースの底面に設けられた凹部の底面に設けられる光モジュール。
【発明の詳細な説明】
【技術分野】
【０００１】
本発明は光モジュールに関する。
【背景技術】
【０００２】
光通信に用いられる光通信装置には、光送受信ユニットである光モジュールが組み込まれる。光モジュールを光伝送装置に組み込むために、光モジュールを収容するケージが用いられる。すなわち、光モジュールを収容するためのケージが光通信装置の内部に取り付けられ、取り付けられたケージに対して光モジュールを挿入して収容することで、光モジュールを光通信装置に組み込むことができる。
【０００３】
光モジュールはケージに対して着脱可能であり、必要なときはケージから引き抜くことで、光モジュールを光通信装置から取り出すことができる。したがって、光モジュールとケージには、光モジュールをケージに収容した状態で固定するためのロック機構が設けられる。
【０００４】
光モジュールのロック機構として一般的に用いられているロック機構は、光モジュールのケースに設けられた突起とケージに設けられた舌片部とを含む（例えば、特許文献１参照。）。光モジュールがケージに挿入された位置で、光モジュールのケースに設けられた突起がケージの舌片部に形成された開口部に係合することで、光モジュールがケージにロックされる。ロックの解除は、光モジュールに設けられたベイルと称されるレバー部材を倒すことで舌片部を持ち上げて開口部を突起から外すことにより行なうことができる。
【０００５】
まず、光モジュールとケージについて図１参照しながら簡単に説明する。光モジュール１０は一般的に細長い形状のケース１２内に光部品が収容されたものであり、ケース１２の一端側に、光ファイバを接続するための光コネクタ１４が設けられている。ケース１２の光コネクタが設けられた端部に、ベイル１６が回動可能に取り付けられる。
【０００６】
ケージ２０は金属製の一端が開いた箱形状のカバーであり、図１（ａ）に示すように、ケース１２の光コネクタ１４が設けられた端部の反対側から、ケース１２を挿入できるようになっている。ケージ２０は基板に取り付けられたうえで光通信装置に組み込まれるか、あるいはケージ２０が光通信装置のフレーム等に直接取り付けられる。光モジュール１０がケージ２０に完全に収容された状態が図１（ｂ）に示されている。
【０００７】
図２は光モジュール１０を底面側から見た斜視図である。光モジュール１０のケース１２において、レバー部材として機能するベイル１６が取り付けられた部分の底面側にスライド部材１８が取り付けられている。スライド部材１８はベイル１６の回動に連動して、ケース１２の長手方向に移動する。ベイル１６を起こした状態（図２に示す状態）では、スライド１８は図中右側に寄っており、ベイル１６を倒すとスライド１８は図中左方向に移動する。スライド１８の動きについては後述する。
【０００８】
図３は図２のＡ部を拡大して示す図である。光モジュール１０のケース１２の底面には凹部１２ａが形成され、凹部１２ａの底面に突起１３が形成されている。スライド部材１８の一部であるスライド片１８ａは凹部１２ａに入り込んでおり、スライド片１８ａに形成された開口１８ｂに突起１３が入り込んで反対側に突出している。スライド片１８ａの開口１８ｂの縁部に摺動部１８ｃが形成されている。摺動部１８ｃは金属板をＵ字状に折り曲げて形成されており、折り曲げた丸い部分が後述のように突起１３の傾斜面１３ｂ上を摺動するようになっている。突起１３は金属により形成されており、垂直面１３ａと傾斜面１３ｂとを有している。突起１３の垂直面１３ａは、後述のようにケージ２０の舌片部２０ａに係合して光モジュール１０をケージ２０にロックするために設けられている。
【０００９】
図４はケージ２０を底面側から見た斜視図であり、図５は図４におけるＢ部を拡大して示す図である。ケージ２０は、例えばステンレス鋼板などの薄い金属板で形成されている。ケージ２０の底面側で、光モジュール１０が挿入された際に光モジュール１０の突起１３が位置する部分には、舌片部２０ａが形成されている。舌片部２０ａはケージ２０の一部が細長くなるように切り込みを入れて形成される。舌片部２０ａには、突起１３の一部が入り込めるような大きさの舌片穴２２が形成されている。この舌片穴２２に突起１３が入り込むことで、突起１３の垂直面１３ａが舌片穴２２の前縁２２ａに当接し、光モジュール１０はケージ２０にロックされた状態となる。
【００１０】
光モジュール１０をケージ２０内に固定するためのロック機構は、光モジュール１０の突起１３、スライド部材１８、スライド部材１８が連動するベイル１６と、ケージ２０の舌片部２０ａとにより達成される。
【００１１】
以下、ロック機構の動作について説明する。
【００１２】
図６は光モジュール１０がケージ２０に収容された状態を示す斜視図であり、図７は図６におけるＡ部を拡大して示す図である。光モジュール１０をケージ２０に挿入する際には、ベイル１６を起こした状態とする。ベイル１６を起こした状態とすると、ベイル１６に連動するスライド部１８は図６中右側に寄った状態となる。これによりスライド部１８のスライド片１８ａも右側に寄った状態となり、スライド片１８ａの開口１８ｂの中に突起１３全体が入り込み、突起１３はスライド片１８ａの開口１８ｂを通してスライド片１８ａの下側に突出する。この状態で光モジュール１０をケージに挿入していくと、光モジュール１０の突起１３がケージ２０の舌片部２０ａの先端（下方に僅かに曲げられた部分）に当接する。光モジュール１０をさらにケージ２０に挿入すると、ケージ２０の舌片部２０ａは突起１３の傾斜面１３ｂに乗り上げる。光モジュール１０をさらにケージ２０に挿入して完全に挿入した状態となると、突起１３の一部が舌片部２０ａの舌片穴２２に整合する。舌片部２０ａは弾性力で下方に押し下げられる力が加わっているので、図７に示すように、突起１３の一部が舌片部２０ａの舌片穴２２に入り込み、突起１３の垂直面１３ａが舌片穴２２の前縁２２ａに当接する。これにより、突起１３は挿入方向とは反対方向には移動できなくなり、光モジュール１０はケージ２０に収容された状態でロックされる。
【００１３】
光モジュール１０をケージから引き抜くためには、ロックを解除する必要がある。ロックを解除する際は、まず光モジュール１０のベイル１６を倒して９０度回動させる。図８はベイル１６を倒した状態を示す斜視図であり、図９は図８におけるＢ部を拡大して示す図である。ベイル１６を倒すと、スライド部材１８は図８における左方向に移動し、スライド部材１８のスライド片１８ａも左方向に移動する。このとき、スライド片１８ａの開口１８ｂの縁に形成された摺動部１８ｃは突起１３の傾斜面１３ｂ上を摺動し、これによりスライド片１８ａは傾斜面１３ｂに沿って持ち上げられる。
【００１４】
図９は摺動部１８ｃが傾斜面１３ｂの上の平坦な面まで移動したときの状態を示している。スライド片１８ａが持ち上げられることで、その下方に位置している舌片部２０ａがスライド片１８ａにより持ち上げられて図９に示す状態となり、舌片部２０ａの開口２２が突起１３より高い位置に移動して突起１３から外れる。したがって、舌片部２０ａの開口２２の前縁２２ａと突起１３の垂直面１３ａとの係合が解除され、突起１３は図９における左方向に移動できるようになる。すなわち、突起１３が設けられている光モジュール１０とケージ２０とのロックが解除され、光モジュール１０をケージ２０から引き抜くことができるようになる。
【００１５】
図１０はロック状態におけるベイル１６とスライド部材１８と突起１３の位置関係を示す簡略側面図であり、図１１は図１０におけるＣ部を拡大して示す図である。ロック状態では、ベイル１６は起こされており、スライド部材１８は図１０における右側に寄せられている。したがって、スライド部材１８の一部であるスライド片１８ａも右側に移動しており、突起１３がスライド片１８ａの開口１８ｂを通過して突出している。このスライド片１８ａから突出した突起１３にケージ２０の舌片部２０ａが係合してロック状態となる。ロック状態では、スライド片１８ａの摺動部１８ｃは、突起１３の傾斜面１３ｂからはずれた低い位置にある。
【００１６】
図１２はロック解除状態におけるベイル１６とスライド部材１８と突起１３の位置関係を示す簡略側面図であり、図１３は図１２におけるＤ部を拡大して示す図である。ロック解除状態では、ベイル１６は倒されており、スライド部材１８は図１２における左側に寄せられている。したがって、スライド部材１８の一部であるスライド片１８ａも左側に移動しており、スライド片１８ａの摺動部１８ｃは突起１３の傾斜面１３ｂを摺動してからその上の平坦な面まで移動している。従って、スライド片１８ａは傾斜面１３ｂに沿って持ち上げられ、スライド片１８ａの下方に位置しているケージ２０の舌片部２０ａはスライド片１８ａにより持ち上げられる。したがって、このスライド片１８ａの持ち上げ動作によりロック解除が行なわれる。
【００１７】
ここで、ロック解除の際のスライド片１８ａと舌片部２０ａの移動について、図１４及び図１５を参照しながらさらに詳しく説明する。図１４はロック状態におけるスライド片１８ａと舌片部２０ａと突起１３との位置関係を示す簡略側面図である。図１５はロック解除状態におけるスライド片１８ａと舌片部２０ａと突起１３との位置関係を示す簡略側面図である。
【００１８】
ロック状態では、ベイル１６は起こされており、スライド部材１８は図１０における右側に寄せられている。したがって、スライド部材１８の一部であるスライド片１８ａも右側に移動しており、突起１３がスライド片１８ａの開口１８ｂを通過して突出している。スライド片１８ａの端部に設けられた摺動部１８ｃは、突起１３の傾斜面１３ｂに当接していない。そして、スライド片１８ａから突出した突起１３はケージ２０の舌片部２０ａの開口２２内に突出している。これにより、舌片部２０ａの開口２２の前縁２２ａが突起１３の垂直面１３ａに当接してロック状態となる。
【００１９】
ロック状態からベイル１６を倒すと、ベイル１６の回動に連動してスライド部材１８が図１４における左方向に移動する。スライド部材１８が左方向に移動すると、まずスライド片１８ａの摺動部１８ｃが突起１３の傾斜面１３ｂに当接する。さらにベイル１６を倒していくと、摺動部１８ｃが突起１３の傾斜面１３ｂ上を矢印で示すように摺動しながら、スライド片１８ａは左方向に移動する。このとき、摺動部１８ｃが傾斜面１３ｂにより持ち上げられるので、スライド片１８ａは摺動部１８ｃが下側となるように僅かに傾きながら左方向に移動する。また、摺動部１８ｃが傾斜面１３ｂにより持ち上げられるので、摺動部１８ｃ付近のスライド片１８ａにより舌片分２０ａが持ち上げられる。
【００２０】
ベイル１６が９０度回動して完全に倒されると、図１５に示すように、摺動部１８ｃの持ち上げ高さは十分となり、舌片分２０ａの開口２２は突起から外れた状態となる。これでロック解除状態となり、ベイル１６を光モジュール１０の長手方向に引っ張ることにより、光モジュール１０をケージ２０から引き抜くことができる。
【００２１】
以上のようなスライド片１８ａの動作において、図１４に示すロック状態から図１５に示すロック解除状態に移行する際に、スライド片１８ａは摺動部１８ｃの側が下側になるように傾きながら移動する。このため、スライド片１８ａの摺動部１８ｃが傾斜面１３ｂに当接している部分には、スライド片１８ａが傾き方向に引っ張られる力が作用する。したがって、この傾き方向の引っ張り力の傾斜面１３ｂの傾き方向の分力で摺動部１８ｃは傾斜面１３ｂ上を摺動することとなる。ここで、スライド片１８ａの傾き方向の引っ張り力の傾斜面１３ｂに垂直な方向の分力は、摺動部１８ｃを傾斜面１３ｂに押しつける押圧力となる。
【先行技術文献】
【特許文献】
【００２２】
【特許文献１】米国特許第３４７７１１７号
【発明の概要】
【発明が解決しようとする課題】
【００２３】
上述のロック機構の解除の際、ベイル１６を倒すことでベイル１６に連結されたスライド部材１８が引っ張られ、スライド片１８ａの端部が突起の斜面を摺動してスライドが持ち上がる。このとき、スライドの上方で突起に係合していたケージ２０の舌片部２０ａがスライド片１８ａにより持ち上げられ、舌片部２０ａの開口部と突起との係合が解除される。
【００２４】
スライド片１８ａの端部が突起の斜面を摺動するとき、スライド１８ａの端部には突起の斜面に押し付ける力が作用する。光モジュールのケース１２に設けられた突起はアルミダイキャスト等の金属で形成されている。一方、突起の斜面を摺動するスライド部材１８は金属板により形成されている。光モジュール１０の着脱を繰り返すと、スライド片１８ａの端部が突起の斜面に強く押し付けられる部分で突起の斜面に凹部が形成されることがある。
【００２５】
突起の斜面に凹部が形成されるとスライド片１８ａの端部が凹部に引っ掛かってしまい、スライド片１８ａを小さな力で摺動させることができなくなる。この場合、ベイル１６を倒してスライド部材１８を引っ張るために大きな力が必要になってしまう。突起の斜面に凹部が形成された後も光モジュールの着脱が繰り返し行なわれると凹部が深くなり、最終的にはスライド片１８ａの端部が凹部に入り込んで外れなくなってしまい、ベイル１６に大きな力を加えて倒そうとしてもスライド部材１８を移動することができない状態となることがある。この場合、ベイル１６を完全に倒すことができず、スライド片１８ａの端部が突起に係合したままの状態となる。したがって、ロックを解除することができず、光モジュール１０をケージ２０から引き出すことができない状態に陥ってしまう。
【００２６】
図１６は、スライド片１８ａが移動し始めてからスライド片１８ａの摺動部１８ｃが突起１３の傾斜面１３ｂに接触し、傾斜面１３ｂに沿って摺動する様子を示す図である。図１６において、スライド片１８ａが動き始めて摺動部１８ｃが傾斜面１３ｂに接触した状態のスライド片１８ａが点線で示され、摺動部１８ｃが傾斜面１３ｂ上を摺動している状態のスライド片１８ｂが実線で示されている。図１６から、スライドが移動するにつれてスライド片１８ａの傾斜角度が大きくなっていることが分かる。
【００２７】
図１７は、スライドの動き始めにおいて摺動部１８ｃが傾斜面１３ｂに作用する力を示す図である。スライド部材１８の動き始めには、スライド片１８ａは水平でありスライド片１８ａが引っ張られる力Ｆ０は水平方向である。摺動部１８ｃが傾斜面１３ｂに対して垂直方向に作用する押圧力Ｆ１は、引っ張り力Ｆ０の分力であり、傾斜面１３ｃの水平方向からの傾斜角度をθとすると、押圧力Ｆ１はＦ０にｓｉｎθをかけたものとなる（Ｆ１＝Ｆ０ｓｉｎθ）。
【００２８】
図１８は、スライド片１８ａの摺動部１８ｃが傾斜面１３ｂを摺動している際に摺動部１８ｃが傾斜面１３ｂに作用する力を示す図である。摺動部１８ｃが傾斜面１３ｂを摺動しながら移動すると、スライド片１８ａが水平方向に対して傾斜し、スライド片１８ａの角度（傾斜角度）θ１が次第に大きくなる。この際、摺動部１８ｃが傾斜面１３ｂに対して垂直方向に作用する押圧力Ｆ２は、引っ張り力Ｆ０の分力であり、傾斜面１３ｃの水平方向からの傾斜角度をθとすると、押圧力Ｆ１はＦ０にｓｉｎ（θ＋θ１）をかけたものとなる（Ｆ１＝Ｆ０ｓｉｎ（θ＋θ１））。したがって、摺動部１８ｃが傾斜面１３ｂを摺動していくほど、摺動部１８ｃが傾斜面１３ｂ押し付けられる力Ｆ２は大きくなる（Ｆ１＜Ｆ２）。
【００２９】
以上のように、傾斜面１３ｂを押圧する押圧力となる分力Ｆ２が大きくなると、アルミダイキャストのような比較的柔らかい金属で形成された突起１３の傾斜面１３ｂには、摺動部１８ｃの押圧により図１９に示すように凹部が形成されてしまう。ひとたび凹部が形成されると、凹部に摺動部１８ｃが引っ掛かって摺動し難くなり、スライド片１８ａに加えられる引っ張り力Ｆが大きくなる。そうすると、摺動部１８ｃが作用する押圧力Ｆ２も余計大きくなって、凹部がますます深くなっていく。凹部がある程度深くなると、摺動部１８ｃは凹部から抜け出すことができなくなり、スライド片１８ａは移動できなくなる。この状態となると、いくらベイル１６を倒そうとしても完全に倒せなくなり、ロック解除を行なうことができない。したがって、光モジュール１０をケージ２０から抜き出すことができなくなってしまう。
【００３０】
そこで、摺動部１８ｃが傾斜面１３ｂに押圧されないか、押圧されても押圧力が小さくなるようにして、傾斜面１３ｂに凹部が形成されないよう機構とすれば、スライド片１８ａを引っ張ることができなくなる状態に陥ることは防止され、より多くの回数、光モジュールをケージに着脱することができるようになる。
【課題を解決するための手段】
【００３１】
一実施形態によれば、ケージに収容可能な光モジュールであって、光部品を収容するケースと、前記ケースの表面に設けられ、前記ケースの長手方向に対して垂直な垂直面を有する突起と、前記ケースの一端側に前記長手方向に移動可能に取り付けられた基部と、前記基部からから斜めに延在する傾斜部と、前記傾斜部から前記長手方向に前記突起を越えて延在し、前記長手方向に所定の移動範囲内で移動可能なスライド片とを有するスライド部材と、前記突起に対して前記スライド部材の前記基部の側に設けられ、前記ケースの前記表面から突出した突出部とを有する光モジュールが提供される。
【発明の効果】
【００３２】
スライド部材が移動したときに、スライド片が突出部に当接して持ち上げられるため、スライド片の傾斜角度（θ）が小さくなるので、スライド片の縁が突起を押圧する力（Ｆ）が小さくなる。したがって、スライド部材を移動することができなくなる状態に陥ることは防止され、より多くの回数、光モジュールをケージに着脱することができる。
【図面の簡単な説明】
【００３３】
【図１】光モジュールとケージの斜視図である。
【図２】光モジュールを底面側から見た斜視図である。
【図３】図２のＡ部を拡大して示す図である。
【図４】ケージ２０を底面側から見た斜視図である。
【図５】図４のＢ部を拡大して示す図である。
【図６】光モジュールがケージに収容された状態を示す斜視図である。
【図７】図６のＡ部を拡大して示す図である。
【図８】ベイルを倒した状態を示す斜視図である。
【図９】図８のＢ部を拡大して示す図である。
【図１０】ロック状態におけるベイルとスライド部材と突起の位置関係を示す簡略側面図である。
【図１１】図１０のＣ部を拡大して示す図である。
【図１２】ロック解除状態におけるベイルとスライド部材と突起の位置関係を示す簡略側面図である。
【図１３】図１２のＤ部を拡大して示す図である。
【図１４】ロック状態におけるスライド片と舌片部と突起との位置関係を示す簡略側面図である。
【図１５】ロック解除状態におけるスライド片と舌片部と突起との位置関係を示す簡略側面図である。
【図１６】スライド片が移動し始めてから摺動部が突起の傾斜面に接触し、傾斜面に沿って摺動する様子を示す図である。
【図１７】スライド片の動き始めにおいて摺動部が傾斜面に作用する力を示す図である。
【図１８】スライド片の摺動部が傾斜面を摺動している際に摺動部が傾斜面に作用する力を示す図である。
【図１９】傾斜面に形成される凹部を説明するための図である。
【図２０】一実施形態による光モジュールの一部のロック状態を示す簡略側面図である。
【図２１】スライド片を傾斜面の傾斜と同じ方向に傾斜させた場合に摺動部が傾斜面を押圧する力を説明するための図。
【図２２】第１の形状の突出部とスライド片とを示す図である。
【図２３】第２の形状の突出部とスライド片とを示す図である。
【図２４】第３の形状の突出部とスライド片とを示す図である。
【図２５】摺動部が傾斜面に当接しない場合のスライド片の動きを示す図である。
【発明を実施するための形態】
【００３４】
次に、実施形態について図面を参照しながら説明する。
【００３５】
図２０は一実施形態による光モジュールの一部の簡略側面図である。図２０はベイル１６を起こした状態、すなわちロック状態におけるスライド片１８ａと突起１３の周辺を示している。本実施形態による光モジュール３０は、以下に説明する部分以外は上述の光モジュール１０と同様の構成とすることができる。このため、以下の説明では、光モジュール１０の構成部品と同じ符号を用い、光モジュール１０で説明した構成部品についての説明は省略する。
【００３６】
図２０に示すように、本実施形態による光モジュール３０において、スライド部材１８とケース１２との間に突出部３２が設けられている。
【００３７】
図２０に示すロック状態から、ベイル１６を倒していくと、ベイル１６の回動に連動してスライド片１８ａは図１８の左方向に移動する。このとき、スライド片１８ａが移動する方向には突出部３２が設けられているため、スライド片１８ａは移動し始めるとすぐに突出部３２に当接する。
【００３８】
ここで、本実施形態では、スライド部材１８は、ケースの一端側に移動可能に支持された基部３６と、基部３６から斜めに延在する傾斜部３４と、傾斜部３４からケース１２の長手方向に延在するスライド片１８ａとを有する。すなわち、スライド片１８ａがスライド部材１８の基部３６に繋がる部分には傾斜部３４が設けられており、スライド部材１８の傾斜部３４がまず突出部３２に当接する。なお、スライド部材１８の基部３６はベイル１６に連結されており、ベイル１６の回動に連動してケース１２の長手方向に移動する。したがって、基部３６の移動に伴って傾斜部３４及びスライド片１８ａがケース１２の長手方向に移動する。突出部３２は、図２０に示すように、突起１３に対してスライド部材１８の基部３６の側においてケース１２の面から突出している部分である。
【００３９】
本実施形態では、スライド部材１８の傾斜部３４又はスライド片１８aの一部を突出部３２の傾斜面や頂面に当接させることで、摺動部１８ｃが突起１３の傾斜面１３ｂに接触する際のスライド片１８ａの傾斜角度θを調節する。すなわち、スライド片１８ａの傾斜角度が従来のように角度θ１だけ大きくなるのではなく、反対に、図２１に示すように、角度θ２だけ小さくなるように、スライド片１８ａを傾斜させる。すなわち、スライド片１８ａを傾斜面１３ｂの傾斜角度と同じ方向に角度θ２だけ傾斜させる。
【００４０】
このときの摺動部１８ｃが傾斜面１３ｂに押し付けられる押圧力Ｆ３は、スライド片１８ａが引っ張られる力Ｆ０にｓｉｎ（θ−θ２）をかけたものとなる（Ｆ１＝Ｆ０ｓｉｎ（θ−θ２））。したがって、摺動部１８ａが傾斜面１３ｂを摺動する際に、摺動部１８ｃが傾斜面１３ｂに押し付けられる力Ｆ３は従来よりも小さくなる（Ｆ３＜Ｆ１＜Ｆ２）。これにより、摺動部１８ｃが押圧されて傾斜面１３ｂに凹部が形成されることが抑制され、より多くの回数、光モジュール３０をケージ２０に着脱することができるようになる。
【００４１】
以上のように、突出部３２は摺動部１８ｃが傾斜面１３ｂを摺動する際のスライド片１８ａの傾斜角度を従来のものより小さくするために設けられるが、突出部３２の形状によってスライド片１８ａの傾斜角度は変化する。以下に、突出部３２の形状とスライド片１８ａの傾斜角度について説明する。
【００４２】
図２２に示す突出部３２の第１の形状は、スライド片１８ａの摺動部１８ｃが傾斜面１３ｂに接触して摺動するときに、スライド片１８ａと傾斜部３４との間の屈曲した部分が突出部３２の傾斜面３２ａに当接するような形状である。すなわち、スライド片１８ａと傾斜部３４との間の屈曲した部分が突出部３２の傾斜面３２ａに当接している位置（Ａ点）とスライド片１８ａの摺動部１８ｃが傾斜面１３ｂに当接している位置（Ｂ点）とが同じ高さ（Ｙ方向の位置）である。図２２において、Ｘ方向はスライド片１８ａに力が加わっていなときにスライド片１８ａが延在する方向であり、Ｙ方向はスライド片１８ａの面に垂直でＸ方向に垂直な方向である。
【００４３】
図２２に示す突出部３２の形状とすれば、スライド部材１８が引っ張られて移動する際に、Ａ点のＹ方向位置Ｙ１とＢ点のＹ方向位置Ｙ２とが同じＹ方向位置となるので（Ｙ１＝Ｙ２）、スライド片１８ａは動き始めのときの角度のまま平行に移動する。すなわち、図１７に示す傾斜角度θを維持したまま摺動部１８ｃが傾斜面１３ｂを摺動していく。突出部３２が無い場合は傾斜角度θが次第に大きくなるのに対し、図２２に示す例では摺動部１８ｃが摺動していっても傾斜角度θは変わらない。このため、摺動部１８ｃが傾斜面１３ｂを押圧する力も大きくならず、傾斜面１３ｂに凹部が形成され難くなる。
【００４４】
また、図２２に示す例では、摺動部１８ｃが傾斜面１３ｂを摺動しながら舌片部２０ａを持ち上げる際に、スライド片１８ａと舌片部２０ａは平行な状態に保たれている。これにより、図２２に示すようにスライド片１８ａの表面の一部（図２２においてＣで示された範囲）で舌片部２０ａを持ち上げることとなる。一方、従来のものでは、スライド片１８ａが傾斜するため、図１６に示すように摺動部１８ｃの近傍のみ（図１６においてＤで示された範囲）で舌片部２０ａを持ち上げることとなる。すなわち、従来のものでは線に近い狭い部分で舌片部２０ａを持ち上げるのに対し、図２２に示す例では、大きな面で舌片部２０ａを持ち上げることとなる。これにより、図２２に示す例ではスライド片１８ａにかかる舌片部２０ａの力が分散され、ロック解除時のベイル１６の動作力を小さくすることができる。
【００４５】
図２３に示す突出部３２の第２の形状は、スライド片１８ａの摺動部１８ｃが傾斜面１３ｂに接触して摺動するときに、スライド片１８ａと傾斜部３４との間の屈曲した部分が突出部３２の頂面３２ｂに乗り上げるような形状である。すなわち、スライド片１８ａと傾斜部３４との間の屈曲した部分は、突出部３２の傾斜面３２ａに当接して摺動した後、突出部３２の頂面３２ｂに乗り上げる。このとき、スライド片１８ａと傾斜部３４との間の屈曲した部分が突出部３２の頂面３２ａに当接している位置（Ａ点）は、スライド片１８ａの摺動部１８ｃが傾斜面１３ｂに当接している位置（Ｂ点）より高い位置となる。すなわち、Ａ点のＹ方向の位置Ｙ１はＢ点のＹ方向の位置Ｙ２より小さくなる（Ｙ１＜Ｙ２）。したがって、スライド片１８ａの傾斜角度は、図２１に示すように従来の角度θより小さくなる。このため、摺動部１８ｃが傾斜面１３ｂを押圧する力も従来のものより小さくなり、傾斜面１３ｂに凹部が形成され難くなる。
【００４６】
図２４に示す突出部３２の第３の形状では、頂面３２ｂの高さが、図２３に示す第２の形状における頂面３２ｂより低くなっている。したがって、スライド片１８ａが引っ張られてＸ方向に移動するとすぐに、スライド片１８ａと傾斜部３４との間の屈曲した部分は、突出部３２の頂面３２ｂに乗り上げる。このとき、スライド片１８ａと傾斜部３４との間の屈曲した部分が突出部３２の頂面３２ａに当接している位置（Ａ点）は、スライド片１８ａの摺動部１８ｃが傾斜面１３ｂに当接している位置（Ｂ点）より低い位置となる。すなわち、Ａ点のＹ方向の位置Ｙ１はＢ点のＹ方向の位置Ｙ２より大きくなる（Ｙ１＞Ｙ２）。ただし、Ａ点の位置は突出部３２の頂面３２ｂの高さまで高められているため、スライド片１８ａの傾斜角度は、突出部３２が設けられていない場合の図１８に示す角度θ１より小さくなる。したがって、摺動部１８ｃが傾斜面１３ｂを押圧する押圧力は、従来のものよりも小さくなり、傾斜面１３ｂに凹部が形成され難くなる。
【００４７】
以上のように突出部３２の形状によりスライド片１８ａの傾斜角度は変化するが、いずれの場合も突出部３２があることで従来のものよりもスライド片１８ａの傾斜角度は小さくなり、傾斜面１３ｂに凹部が形成され難くなる。これにより、スライド部材１８を移動することができなくなる状態に陥ることは防止され、より多くの回数、光モジュール３０をケージ２０に着脱することができるようになる。
【００４８】
なお、突出部３２の形状によっては、図２５に示すように、摺動部１８ｃが傾斜面１３ｂに当接しないようにしながら舌片部２０ａと当接する箇所まで移動することができる。スライド片１８ａと傾斜部３４との間の屈曲部が突出部３２の傾斜面３２ａに当接した状態で、摺動部１８ｃが突起１３の傾斜面１３ｂに当接しない場合、スライド部材１８（図２０の基部３６）が変形して摺動部１８ｃが持ち上がるようにスライド片１８ａが傾斜する。すなわち、スライド片１８ａと傾斜部３４との間の屈曲部が突出部３２の傾斜面３２ａに当接した状態でスライド部材１８が引っ張られると、当接した点を支点にしてスライド片１８ａが図２５の点線で示すように傾斜する。これにより摺動部１８ｃが持ち上げられ、傾斜面１３ｂに当接せずに移動して舌片部２０ａに当接する。なお、図２５に示すように摺動部１８ｃが傾斜面１３ｂを摺動しない場合、摺動部１８ｃが摺動しない部分では傾斜面１３ｂを設ける必要がないため、例えば図２５に示すように突起１３の形状を変更することができる。
【００４９】
以上のように、本明細書は以下の事項を開示する。
（付記１）
ケージに収容可能な光モジュールであって、
光部品を収容するケースと、
前記ケースの表面に設けられ、前記ケースの長手方向に対して垂直な垂直面を有する突起と、
前記ケースの一端側に前記長手方向に移動可能に取り付けられた基部と、前記基部からから斜めに延在する傾斜部と、前記傾斜部から前記長手方向に前記突起を越えて延在し、前記長手方向に所定の移動範囲内で移動可能なスライド片とを有するスライド部材と、
前記突起に対して前記スライド部材の前記基部の側に設けられ、前記ケースの前記表面から突出した突出部と
を有する光モジュール。
（付記２）
付記１記載の光モジュールであって、
前記突出部は、前記スライド部が当接して摺動する傾斜面を有する光モジュール。
（付記３）
付記１又は２記載の光モジュールであって、
前記スライド片は前記突起が入り込む開口を有し、
前記突起は、前記スライド片が前記所定の移動範囲で移動する際に前記開口の前記長手方向に垂直に延在する縁部が当接して摺動する傾斜面を有する光モジュール。
（付記４）
付記２又は３記載の光モジュールであって、
前記突出部は、前記傾斜面に繋がる所定の突出高さの頂面を有する光モジュール。
（付記５）
付記１乃至４のうちいずれか一項記載の光モジュールであって、
前記突出部及び前記突起は、前記ケースの底面に設けられた凹部の底面に設けられる光モジュール。
（付記６）
付記１乃至５のうちいずれか一項記載の光モジュールであって、
前記スライド部材の基部は前記ケースの前記一端側に回動可能に支持されたレバー部材に連結され、前記レバー部材の回動に伴い前記スライド部材が前記長手方向に移動する光モジュール。
（付記７）
付記１乃至６のうちいずれか一項記載の光モジュールであって、
前記ケースは金属製であり、前記突出部及び前記突起は前記ケースに一体に成形される光モジュール。
【符号の説明】
【００５０】
１０，３０  光モジュール
１２  ケース
１２ａ  凹部
１３  突起
１３ａ  垂直面
１３ｂ  傾斜面
１４  光コネクタ
１６  ベイル
１８  スライド部材
１８ａ  スライド片
１８ｂ  開口
１８ｃ  摺動部
２０  ケージ
２０ａ  舌片部
２２  舌片穴
３２  突出部
３２ａ  傾斜面
３２ｂ  頂面
３４  傾斜部
３６  基部
【図１】
2010286782.tif 000003
【図２】
2010286782.tif 000004
【図３】
2010286782.tif 000005
【図４】
2010286782.tif 000006
【図５】
2010286782.tif 000007
【図６】
2010286782.tif 000008
【図７】
2010286782.tif 000009
【図８】
2010286782.tif 000010
【図９】
2010286782.tif 000011
【図１０】
2010286782.tif 000012
【図１１】
2010286782.tif 000013
【図１２】
2010286782.tif 000014
【図１３】
2010286782.tif 000015
【図１４】
2010286782.tif 000016
【図１５】
2010286782.tif 000017
【図１６】
2010286782.tif 000018
【図１７】
2010286782.tif 000019
【図１８】
2010286782.tif 000020
【図１９】
2010286782.tif 000021
【図２０】
2010286782.tif 000022
【図２１】
2010286782.tif 000023
【図２２】
2010286782.tif 000024
【図２３】
2010286782.tif 000025
【図２４】
2010286782.tif 000026
【図２５】
2010286782.tif 000027